(57)【要約】【課題】回路基板を後ろ側から、動力を使用せずに交換できる回路基板収納装置を実現する。【解決手段】複数の回路基板がコネクタ挿着されるバックプレーンを有する回路基板収納装置において、前記バックプレーンに対向して前記収納装置のケースの周囲に設けられ着脱ハンドルの回転動作により順次連動する複数の回転伝達ベルトを具備する回転伝達ベルト手段と、この回転伝達ベルトの所定の回転伝達軸にそれぞれ接続されこの回転伝達軸の回転運動を前記バックプレーンを前記ケースから着脱する直線運動に変換する少なくとも３個の回転−直線変換手段とを具備したことを特徴とする回路基板収納装置である。【選択図】図１
2009076660.tif 000002
【特許請求の範囲】
【請求項１】
複数の回路基板がコネクタ挿着されるバックプレーンを有する回路基板収納装置において、
前記バックプレーンに対向して前記収納装置のケースの周囲に設けられ着脱ハンドルの回転動作により順次連動する複数の回転伝達ベルトを具備する回転伝達ベルト手段と、
この回転伝達ベルトの所定の回転伝達軸にそれぞれ接続されこの回転伝達軸の回転運動を前記バックプレーンを前記ケースから着脱する直線運動に変換する少なくとも３個の回転−直線変換手段と
を具備したことを特徴とする回路基板収納装置。
【請求項２】
前記回転−直線変換手段は、前記回転伝達軸に一端が接続された雄ねじ部と、
前記回転伝達軸を支持する支持プレートに一端が固定されガイド溝を有する柱状の固定ガイド部とこのガイド溝に嵌合されてこのガイド溝を摺動する摺動突起部を有し前記雄ねじ部が螺合される雌ねじ部が固定された移動プレートとを具備するガイド手段と、
前記移動プレートに設けられこの移動プレートと前記バックプレーンとを固定する固定手段と
を具備したこと特徴とする請求項１記載の回路基板収納装置。
【請求項３】
前記ガイド溝と前記摺動突起部との嵌合部分に設けられ前記バックプレーンと前記コネクタ部分の位置ずれを吸収する隙間を有する微調整隙間部
を具備したこと特徴とする請求項２記載の回路基板収納装置。
【発明の詳細な説明】
【技術分野】
【０００１】
本発明は、複数の回路基板がコネクタ挿着されるバックプレーンを有する回路基板収納装置に関するものである。
【背景技術】
【０００２】
回路基板収納装置に関連する先行技術文献としては次のようなものがある。
【０００３】
【特許文献１】特開平１０−１３５６６６号公報（第２頁  第３図）
【０００４】
図１１は従来より一般に使用されている従来例の要部構成説明図である。
ケース１内部において固定されたバックプレーン２を備え、そのバックプレーン２に複数枚の回路基板３をコネクタ接続して装着し、その装着した回路基板３の前面に機構部品又はフロント側基板ユニット４を接続した構成となっている。
【０００５】
このような構成からなる回路基板収納箱においては、回路基板３を交換する場合には、機構部品又はフロント側基板ユニット４を取外し、所望の回路基板３をバックプレーン２から抜くことにより交換する。
【発明の開示】
【発明が解決しようとする課題】
【０００６】
このような装置においては、以下の間題点がある。
従来は回路基板収納箱の回路基板３を交換する場合には、機構部品またはフロント側基板ユニット４を取り外す必要があった。
また、バックプレーン（固定基板）２を外し回路基板３を、筐体１の後ろ側から交換することはできなかった。
【０００７】
従って、図１１従来例で問題のあった機構部品又はフロント側基板ユニットを外さずに回路基板を交換できるようにすること、又、電力、圧縮空気などを使用せずに回路基板を交換する作業を一人でできるようにバックプレーンを取り外すことができる機構に解決しなければならない課題を有する。
【０００８】
本発明の目的は、上記の課題を解決するもので、図１１従来例の問題点であった、機構部品またはフロント側基板ユニットを外さずに回路基板を交換できるようにすること。
また、電力、圧縮空気などを使用せずに回路基板を交換する作業を一人でできるように、バックプレーン（固定基板）を取り外すことができる回路基板収納装置を提供することにある。
【課題を解決するための手段】
【０００９】
このような課題を達成するために、本発明では、請求項１の回路基板収納装置においては、
複数の回路基板がコネクタ挿着されるバックプレーンを有する回路基板収納装置において、前記バックプレーンに対向して前記収納装置のケースの周囲に設けられ着脱ハンドルの回転動作により順次連動する複数の回転伝達ベルトを具備する回転伝達ベルト手段と、この回転伝達ベルトの所定の回転伝達軸にそれぞれ接続されこの回転伝達軸の回転運動を前記バックプレーンを前記ケースから着脱する直線運動に変換する少なくとも３個の回転−直線変換手段とを具備したことを特徴とする。
【００１０】
本発明の請求項２の回路基板収納装置においては、請求項１記載の回路基板収納装置において、
前記着脱ねじ手段は、前記回転伝達軸を支持する支持プレートに一端が固定されガイド溝を有する柱状の固定ガイド部とこのガイド溝に嵌合されてこのガイド溝を摺動する摺動突起部を有し前記雌ねじ部が固定された移動プレートとを具備するガイド手段と、前記移動プレートに設けられこの移動プレートと前記バックプレーンとを固定する固定手段とを具備したこと特徴とする。
【００１１】
本発明の請求項３の回路基板収納装置においては、請求項２記載の回路基板収納装置において、
前記ガイド溝と前記摺動突起部との嵌合部分に設けられ前記バックプレーンと前記コネクタ部分の位置ずれを吸収する隙間を有する微調整隙間部を具備したこと特徴とする。
【発明の効果】
【００１２】
本発明の請求項１によれば、次のような効果がある。
回路基板に設けられているコネクタはピン数が多く、バックプレーンに設けられているコネクタとの嵌合、取り外しには大きな力が必要である。
この動作を本発明を利用することにより、空気圧源、電力、などの動力に頼らず、安全に手動にて行えるようになる。
【００１３】
また、着脱用ハンドルの回転を、回転伝達ベルト手段により収納装置のケースの周囲に伝達し、着脱ねじ手段をバックプレーンに対し均等に３個以上配置することにより、複数枚ある回路基板に対し、バックプレーンを均等に嵌合あるいは取り外しすることができる回路基板収納装置が得られる。
【００１４】
この部分に使用されているコネクターは、ピン数が多く、前後左右の力が不均一になると、コネクターを破損する可能性が高いが、このコネクター破損の恐れを回避することができる回路基板収納装置が得られる。
【００１５】
３個以上の着脱ねじ手段を用いることにより、回路基板のコネクタを損傷することなく平行にコネクタを嵌合あるいは取り外しすることができる回路基板収納装置が得られる。
回路基板からのバックプレーンの取り外し、取り付けを容易に行うことができ、回路基板の交換が一人でできる回路基板収納装置が得られる。
【００１６】
回路基板の交換時に動力源が不要のため、安全に作業ができる回路基板収納装置が得られる。
また、動力源を使用しないことにより地球環境保全に貢献できる回路基板収納装置が得られる。
【００１７】
本発明の請求項２によれば、次のような効果がある。
回転伝達軸を支持する支持プレートに一端が固定されガイド溝を有する柱状の固定ガイド部と、このガイド溝に嵌合されてこのガイド溝を摺動する摺動突起部を有し、雌ねじ部が固定された移動プレートとを具備するガイド手段と、移動プレートに設けられこの移動プレートとバックプレーンとを固定する固定手段とが設けられたので、バックプレーンの取り付けあるいは取り外し時には、バックプレーンが確実にガイドされて移動し、バックプレーンの取り付けあるいは取り外しが確実にできる回路基板収納装置が得られる。
【００１８】
柱状の固定ガイド部と、この固定ガイド部を摺動する移動プレートと、バックプレーンとを固定する固定手段を具備することにより、着脱ねじ手段の雄ねじ部と雌ねじ部を外すことなく、バックプレーンを外すことが可能になり回路基板交換の作業性が向上できる回路基板収納装置が得られる。
【００１９】
本発明の請求項３によれば、次のような効果がある。
ガイド溝と摺動突起部との嵌合部分に設けられバックプレーンとコネクタ部分の位置ずれを吸収する隙間を有する微調整隙間部が設けられたので、複数枚ある回路基板に対し、バックプレーンを勘合させる場合、それぞれの位置がずれている場合が多いが、このずれを微調整隙間部で吸収できるので、更に、コネクターの損傷などを防止することができる回路基板収納装置が得られる。
【００２０】
微調整隙間部を設けることで、装置構成部品の部品加工精度による又は組立精度差によるコネクタ位置ずれを吸収し、複数枚の回路基板に対して、バックプレーンを一度にコネクタ嵌合させることができる回路基板収納装置が得られる。
【発明を実施するための最良の形態】
【００２１】
以下本発明を図面を用いて詳細に説明する。
図１は本発明の一実施例の要部構成説明図で左側面側から見た斜視図、図２は図１の右側面側から見た斜視図、図３は回転伝達ベルト手段を左側面側から見た斜視図、図４は回転伝達ベルト手段を右側面側から見た斜視図、図５は着脱ねじ手段を左側面側から見た斜視図、図６は着脱ねじ手段を右側面側から見た斜視図、図７は図１の動作説明図である。
図において、図１１と同一記号の構成は同一機能を表す。
以下、図１１との相違部分のみ説明する。
【００２２】
図１において、回転伝達ベルト手段１１は、バックプレーン２に対向して、収納装置のケース１の周囲に設けられ、着脱ハンドル１２の回転動作により、順次連動する複数の回転伝達ベルトを具備する。
この場合は、第１〜第７の７個の回転伝達ベルト１１１〜１１７を有する。
【００２３】
回転伝達ベルト１１１〜１１７は、第１〜第８の８個の回転伝達軸１２１〜１２８のうちの２個にそれぞれ支えられている。
着脱ハンドル１２は、第２の回転伝達軸１２２に接続されている。
回転伝達軸１２１〜１２８は、それぞれケース１に固定された第１〜第４の４個の支持プレート１３１〜１３４に支持されている。
【００２４】
少なくとも３個の着脱ねじ手段は、この場合は、第１〜第４の４個の着脱ねじ手段２１〜２４は、所定の回転伝達軸１２１，１２３，１２６，１２８にそれぞれ接続された雄ねじ部２１１〜２４１とこの雄ねじ部２１１〜２４１にねじ合わされ、バックプレーン２に接続された雌ねじ部２１２〜２４２とを有する。
この場合は、回転伝達軸１２１，１２３，１２６，１２８と雄ねじ部２１１〜２４１とは一体に接続構成されている。
【００２５】
ガイド手段３１〜３４は、回転伝達軸１２１〜１２８を支持する支持プレート１３１、１３３に一端が固定されガイド溝３１１１〜３４１１を有する柱状の固定ガイド部３１１〜３４１とこのガイド溝３１１１〜３４１１に嵌合されてこのガイド溝３１１１〜３４１１を摺動する摺動突起部３１２１〜３４２１を有し、雌ねじ部２１２〜２４２が固定された移動プレート３１２〜３４２とを具備する。
【００２６】
固定手段４１〜４４は、移動プレート２１２〜２４２に設けられ、この移動プレート２１２〜２４２とバックプレーン２とを固定する。
固定手段４１〜４４は、この場合は、市販のロック器具が使用されている。
なお、固定手段３１〜３４は、止めねじが使用されても良いことは勿論である。
【００２７】
微調整隙間部５１〜５４は、ガイド溝３１１１〜３４１１と摺動突起部３１２１〜３４２１との嵌合部分に設けられ、バックプレーン２とコネクタ部分の位置ずれを吸収する隙間を有する。
【００２８】
以上の構成において、着脱用ハンドル１２を矢印Ａの方向に回転させ、着脱用ハンドル１２に連結した回転伝達ベルト手段１１により３箇所以上の着脱ねじ手段２１〜２４のねじ軸２１１〜２４１を回転させバックプレーン（取り外し基板）２を矢印Ｂ方向に移動させる。
回転力伝達ベルト１１１〜１１７は伝達軸１２１〜１２８により３箇所以上の着脱ねじ手段２１〜２４のねじ軸２１１〜２４１に連動している。
【００２９】
このときバックプレーン（取り外し基板）２とバックプレーン（取り外し基板）２に固定されている着脱ねじ手段２１〜２４の雌ねじ部側２１２〜２４２が、着脱ねじ手段２１〜２４にあるガイド溝３１１１〜３４１１に沿って回路基板３から離れる方向（矢印Ｂ方向）に移動してバックプレーン（取り外し基板）２をはずす。
バックプレーン（取り外し基板）２を固定している固定手段４１〜４４を操作してバックプレーン（取り外し基板）２の固定を外す。そして所望の回路基板３を抜き交換する。
【００３０】
所望の回路基板３の交換後に、戻す場合は、バックプレーン（取り外し基板）２を固定する固定手段４１〜４４を操作して固定する。
【００３１】
着脱用ハンドル１２を矢印Ａの方向と反対方向に動かし、回転伝達ベルト手段１１を取り外した時と反対方向に動かす。このとき回転伝達軸１２１〜１２７にセットされた着脱ねじ手段２１〜２４のナット２１２〜２４２は回路基板３にバックプレーン（取り外し基板）２を押し付ける方向（矢印Ａ方向と反対方向）に動く。
以上の動作で所望の回路基板３の交換を完了する。
【００３２】
このとき着脱ねじ手段２１〜２４にあるガイド溝３１１１〜３４１１と摺動突起部３１２１〜３４２１との間には微小な隙間を有する微調整隙間部５１〜５４が設けられてあり、回路基板３とバックプレーン（取り外し基板）２の位置ずれおよび、コネクターの位置ずれを吸収して組み立てることができる。
【００３３】
この結果、
回路基板３に設けられているコネクタはピン数が多く、バックプレーン２に設けられているコネクタとの嵌合、取り外しには大きな力が必要である。
例えば、バックプレーンを外す場合には１００ｋｇ程度の力、バックプレーンを取り付ける場合には４００ｋｇの力が必要である。
【００３４】
この動作を本発明を利用することにより、空気圧源、電力、などの動力に頼らず、安全に手動にて行えるようになる。
また、着脱用ハンドル１２の回転を、回転伝達ベルト手段１１により収納装置のケース１の周囲に伝達し、着脱ねじ手段２１〜２４をバックプレーン２に対し均等に３個以上配置することにより、複数枚ある回路基板３に対し、バックプレーン２を均等に嵌合あるいは取り外しすることができる回路基板収納装置が得られる。
【００３５】
この部分に使用されているコネクターは、ピン数が多く、前後左右の力が不均一になると、コネクターを破損する可能性が高いが、このコネクター破損の恐れを回避することができる回路基板収納装置が得られる。
３個以上の着脱ねじ手段２１〜２４を用いることにより、回路基板３のコネクタを損傷することなく平行にコネクタを嵌合あるいは取り外しすることができる回路基板収納装置が得られる。
【００３６】
回路基板３からのバックプレーン２の取り外し、取り付けを容易に行うことができ、回路基板３の交換が一人でできる回路基板収納装置が得られる。
回路基板３の交換時に動力源が不要のため、安全に作業ができる回路基板収納装置が得られる。
また、動力源を使用しないことにより地球環境保全に貢献できる回路基板収納装置が得られる。
【００３７】
回転伝達軸を支持する支持プレート１３１〜１３４に一端が固定され、ガイド溝３１１１〜３４１１を有する柱状の固定ガイド部３１１〜３４１と、このガイド溝３１１１〜３４１１に嵌合されてこのガイド溝３１１１〜３４１１を摺動する摺動突起部３１２１〜３４２１を有し、雌ねじ部２１２〜２４２が固定された移動プレート３１２〜３４２とを具備するガイド手段３１〜３４と、移動プレート３１２〜３４２に設けられ、この移動プレート３１２〜３４２とバックプレーン２とを固定する固定手段４１〜４４とが設けられた。
【００３８】
従って、バックプレーン２の取り付けあるいは取り外し時には、バックプレーン２が確実にガイドされて移動し、バックプレーン２の取り付けあるいは取り外しが確実にできる回路基板収納装置が得られる。
【００３９】
柱状の固定ガイド部３１１〜３４１と、この固定ガイド部３１１〜３４１を摺動する移動プレート３１２〜３４２と、バックプレーン２を固定する固定手段４１〜４４を具備することにより、着脱ねじ手段２１〜２４の雄ねじ部２１１〜２４１と雌ねじ部２１２〜２４２を外すことなく、バックプレーン２を外すことが可能になり回路基板３の交換の作業性が向上できる回路基板収納装置が得られる。
【００４０】
ガイド溝３１１１〜３４１１と摺動突起部３１２１〜３４２１との嵌合部分に設けられ、バックプレーン２とコネクタ部分の位置ずれを吸収する隙間を有する微調整隙間部５１〜５４が設けられたので、複数枚ある回路基板３に対し、バックプレーン２を勘合させる場合、それぞれの位置がずれている場合が多いが、このずれを微調整隙間部５１〜５４で吸収できるので、更に、コネクターの損傷などを防止することができる回路基板収納装置が得られる。
【００４１】
微調整隙間部５１〜５４を設けることで、装置構成部品の部品加工精度による又は組立精度差によるコネクタ位置ずれを吸収し、複数枚の回路基板３に対して、バックプレーン２を一度にコネクタ嵌合させることができる回路基板収納装置が得られる。
【００４２】
図８は、本発明の他の実施例の要部構成説明図、図９は図８の動作説明図、図１０は図８の動作説明図である。
半導体テスタ装置の試験機ヘッドに本発明を複数個組み込んだ状態を示す。図８、図９、図１０の順で半導体テスタ装置の試験機ヘッド６０から回路基板３を取り出している。
【００４３】
図８において、着脱用ハンドル１２を矢印Ｃの方向に回転させ、バックプレーン（取り外し基板）２を矢印Ｄ方向に移動させ（回路基板３から離れる方向）、バックプレーン（取り外し基板）２を取り外す。
図９に示す如く、取り外したバックプレーン（取り外し基板）２は落下防止のため、バックプレーン（取り外し基板）２の１辺を軸に９０度回転させて固定する。
図１０に示す如く、所望の回路基板３を抜き交換する。
【００４４】
この結果、バックプレーン（取り外し基板）２の落下防止が得られる回路基板収納装置が得られる。
【００４５】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００４６】
【図１】本発明の一実施例の要部構成説明図で左側面側から見た斜視図である。
【図２】図１の右側面側から見た斜視図である。
【図３】回転伝達ベルト手段を左側面側から見た斜視図である。
【図４】回転伝達ベルト手段を右側面側から見た斜視図である。
【図５】着脱ねじ手段を左側面側から見た斜視図である。
【図６】着脱ねじ手段を右側面側から見た斜視図である。
【図７】図１の動作説明図である。
【図８】本発明の他の実施例の要部構成説明図である。
【図９】図８の動作説明図である。
【図１０】図８の動作説明図である。
【図１１】従来より一般に使用されている従来例の構成説明図である。
【符号の説明】
【００４７】
１        ケース
２        バックプレーン
３        回路基板
４        機構部品又はフロント側基板ユニット
１１      回転伝達ベルト手段
１１１    回転伝達ベルト
１１２    回転伝達ベルト
１１３    回転伝達ベルト
１１４    回転伝達ベルト
１１５    回転伝達ベルト
１１６    回転伝達ベルト
１１７    回転伝達ベルト
１２      着脱ハンドル
１２１    回転伝達軸
１２２    回転伝達軸
１２３    回転伝達軸
１２４    回転伝達軸
１２５    回転伝達軸
１２６    回転伝達軸
１２７    回転伝達軸
１２８    回転伝達軸
１３１    支持プレート
１３２    支持プレート
１３３    支持プレート
１３４    支持プレート
２１      着脱ねじ手段
２１１    雄ねじ部
２１２    雌ねじ部
２２      着脱ねじ手段
２２１    雄ねじ部
２２２    雌ねじ部
２３      着脱ねじ手段
２３１    雄ねじ部
２３２    雌ねじ部
２４      着脱ねじ手段
２４１    雄ねじ部
２４２    雌ねじ部
３１      ガイド手段
３１１    固定ガイド部
３１１１  ガイド溝
３１２    移動プレート
３１２１  摺動突起部
３２      ガイド手段
３２１    固定ガイド部
３２１１  ガイド溝
３２２    移動プレート
３２２１  摺動突起部
３３      ガイド手段
３３１    固定ガイド部
３３１１  ガイド溝
３３２    移動プレート
３３２１  摺動突起部
３４      ガイド手段
３４１    固定ガイド部
３４１１  ガイド溝
３４２    移動プレート
３４２１  摺動突起部
４１      固定手段
４２      固定手段
４３      固定手段
４４      固定手段
５１      微調整隙間部
５２      微調整隙間部
５３      微調整隙間部
５４      微調整隙間部
６０      半導体テスタ装置の試験機ヘッド
【図１】
2009076660.tif 000003
【図２】
2009076660.tif 000004
【図３】
2009076660.tif 000005
【図４】
2009076660.tif 000006
【図５】
2009076660.tif 000007
【図６】
2009076660.tif 000008
【図７】
2009076660.tif 000009
【図８】
2009076660.tif 000010
【図９】
2009076660.tif 000011
【図１０】
2009076660.tif 000012
【図１１】
2009076660.tif 000013